(57)【要約】【課題】放送メディアへのアクセス情報やインターネット上のホームページへのアクセス情報を付与した販売促進ラベルを作成するシステムを提供する。【解決手段】ネットワーク１００上に存在するニュース、ホームページ、放送メディアの電子番組表などのデータベースを検索して表示装置４に表示し、選択したファイルオブジェクトへアクセスするためのアクセス情報をラベル６，１０に印刷する。【選択図】        図１
2004358749.tif 000002
【特許請求の範囲】
【請求項１】
検索条件入力手段と、ネットワーク上のファイルオブジェクトを閲覧し、前記検索条件入力手段から入力された検索条件と合致するファイルオブジェクトを表示する表示手段と、該表示手段に表示されたファイルオブジェクトを選択する選択手段と、選択されたファイルオブジェクトにアクセスするためのアクセス情報をラベルに印字するラベル印字手段とを具備したことを特徴とするラベル作成システム。
【発明の詳細な説明】
【０００１】
【発明の属する技術分野】
本発明は、販売する商品等に貼付して販売促進を図るためのラベルを作成するラベル作成システムに関する。
【０００２】
【従来の技術】
従来、双方向テレビジョンを利用した献立の紹介や食材・調理済み食品の配達などを行うサービスが知られている。
【０００３】
また、インターネットを利用して電子レンジを制御するデータをダウンロードする技術が特許文献１等により知られている。
【０００４】
【特許文献１】
特開２００２−１８８８１５号公報
【０００５】
【発明が解決しようとする課題】
しかしながら、上記技術は消費者からデータにアクセスしてサービス提供を受けるものであって、販売者側から消費者に働きかけて需要を喚起できるものではなかった。
【０００６】
本発明は斯かる実情に鑑みなされたもので、本発明はネットワーク上に存在するニュースデータベース、ホームページ、テレビジョンやラジオの電子番組表などを検索し、インターネット上のファイルオブジェクト閲覧から収集する情報を選択してラベルに印刷し、販売する商品に情報を付与できるラベル作成システムを提供することを目的としている。
【０００７】
【課題を解決するための手段】
上記課題を解決するため、本発明が採用する構成の特徴は、検索条件入力手段と、ネットワーク上のファイルオブジェクトを閲覧し、前記検索条件入力手段から入力された検索条件と合致するファイルオブジェクトを表示する表示手段と、該表示手段に表示されたファイルオブジェクトを選択する選択手段と、選択されたファイルオブジェクトにアクセスするためのアクセス情報をラベルに印字するラベル印字手段とを具備したことにある。
【０００８】
上記手段によれば、商品に情報を付加することで販売促進が図られる。特に、放送メディアによる情報やインターネット上のホームページへのアクセス情報を付与する場合、ラベルに直接記録するのに比較して情報の量や質に優れるうえ、著作権上の問題が生じない。
【０００９】
【発明の実施の形態】
以下、本発明の実施の形態を図示例と共に説明する。
図１〜図１４は発明を実施する形態の一例であって、図１および図２はラベル作成システム１の構成を示している。２はインターネット等のネットワーク１００に接続されたパーソナルコンピュータ（ＰＣ）等のクライアント計算機、５は該ＰＣ２に接続されたラベルプリンタである。
【００１０】
前記ＰＣ２はマウスやキーボード等の入力装置３とＣＲＴやＬＣＤ等の表示装置４を備えている。前記入力装置３は表示装置４と共に選択手段としても動作する。
【００１１】
以上のラベル作成システム１は有線や無線、インターネットなどのネットワークによる放送やデータベース、ホームページなどにアクセスして販売促進用ラベル６、１０を印字出力する。
ラベル６は、例えばジャガイモやその調理品等に貼付するもので、ジャガイモを食べると美容によい効果が得られるという内容のテレビ番組が本日放送されるということを、放映時刻やチャンネル、放送局名、番組タイトルなどと共に表示している。
ラベル１０はきのこやその調理品等に貼付するもので、インターネット上のホームページのタイトルと説明、アドレスコード等を本文８に印字したもので、きのこを食べると得られる効用を示唆するものである。
【００１２】
ここで、７はラベルのヘッダ、９はフッタであり、これらは固定データであってもよいが、本文８のデータソースがテレビ番組かホームページであるかなどの違いによって切り替えて印字することが出来る。
【００１３】
次に、ラベル作成システム１の動作について図３ないし図１４を用いて説明する。
図３はラベル作成システム１の動作を示すフローチャートである。まず、ステップＳ１では検索条件を入力装置３等を用いて入力する。具体的には、ＰＣ２の表示装置４に図４のメニュー画面１１を表示し、検索対象ボタン１２、フリーワードボタン１３、食品選択ボタン１４、成分選択ボタン１５を選択してマウスでクリックする。
【００１４】
検索対象とは、検索しようとするデータの掲示場所（メディア）や、テーマ、ジャンルの類であり、検索対象ボタン１２を押すと図５の検索対象画面１６を表示してこの中から選択する。１７はテーマ・ジャンルの選択欄であり、美容・健康、料理、ニュースのそれぞれにチェックボックス１８を備えている。各チェックボックス１８にマウスカーソル（不図示）を会わせてクリックすることにより、チェックが付けられて選択状態となる。１９は情報源の選択欄であり、テレビ（ＴＶ）番組、新聞記事、ホームページ（ＨＰ）のそれぞれのチェックボックス２０を備えている。
【００１５】
２１は期限の指定を行うか否かを選ぶチェックボックスであり、例えば食品に貼付するラベルを作成しようとする場合、テレビ番組放映日時が賞味期限日よりかけ離れてしまうような場合はそのファイルオブジェクトを検索対象としない為のオプションである。このオプションを選択した場合には、期限入力欄２２が入力可能となるので、キーボードから直接数値入力する。
【００１６】
以上の項目を選択、入力し終えたら、選択ボタン２３を押すことで有効となり、メニュー画面１１に戻る。続いて、検索語を何とするか、フリーワード、食品選択、成分選択の各ボタンの中からひとつを選んで押すようになっている。
【００１７】
フリーワードボタン１２を押すと図６のフリーワード検索画面２４となり、入力欄２５に直接キーボードから検索語とする文字を入力するようになっている。ここで、食品をいくつかのキーワードで絞り込みたい場合は、キーワード間にスペースを１つ以上入れて入力する。
そして、検索ボタン２６を押すと検索語がＰＣ２からインターネット１００上のデータベースエンジン（検索サイト）に送信される。
前記検索ボタン２６に代えてクリアボタン２７を押すと、入力欄２５内に入力された内容が消去される。２８はメニュー画面１１に戻るボタンである。
【００１８】
前記メニュー画面１１で食品選択ボタン１４を押すと、図７の食品選択画面２９に移る。図中３０は食品群選択ウィンドウであり、多数の食品群が表示されている。表示しきれないものはスクロールバー３０−１で上下にスクロールして表示させることができる。この中に表示された食品群の中からマウスカーソルを合わせ、クリックして次に選択ボタン３１を押すことにより、食品群の下層に属する食品が、中央の食品選択ウインドウ３２に表示される。該食品選択ウィンドウ３２に表示された食品の中からマウスカーソルを合わせ、クリックして次に選択ボタン３３を押すことにより、選択された食品が右の検索キーワードウインドウ３４に表示される。３２−１は上述３０−１と同様のスクロールバーである。
【００１９】
そして、検索ボタン３５を押すと検索語がＰＣ２からインターネット１００上のデータベースエンジン（検索サイト）に送信される。
前記検索ボタン３５に代えてキャンセルボタン３６を押すと、検索キーワードウインドウ３４に入力された内容が消去される。メニューに戻るボタン２８を押すとメニュー画面１１に戻る。
【００２０】
前記メニュー画面１１で成分選択ボタン１５を選んだ場合、図８の成分選択画面３７に移動する。図中、３８は成分ウインドウであり、多数の栄養成分が表示されている。表示しきれないものはスクロールバー３８−１で上下にスクロールして表示させることができる。この中からマウスカーソルを合わせ、クリックして次に選択ボタン３９を押すことにより、成分ウインドウ３８の栄養成分が、右の検索キーワードウインドウ４０に表示される。
【００２１】
そして、検索ボタン４１を押すと検索語がＰＣ２からインターネット１００上のデータベースエンジン（検索サイト）に送信される。
前記検索ボタン４１に代えてキャンセルボタン４２を押すと、検索キーワードウインドウ４０に入力された内容が消去される。メニューに戻るボタン２８を押すとメニュー画面１１に戻る。
【００２２】
以上、検索ボタン２６、３５、４１を押すまでの操作が図３のフローチャートのステップＳ１の具体的な内容である。そして、検索ボタンを押す操作ステップＳ２を経て、ステップＳ３に移行する。なお、以降は前述した図５の検索対象を、テーマ・ジャンルの選択欄１７から、美容・健康および料理とし、情報源の選択欄１９からテレビ番組を選択したものとして説明している。
【００２３】
ファイルオブジェクトは、ＨＴＭＬ（Ｈｙｐｅｒ  Ｔｅｘｔ  Ｍａｒｋｕｐ  Ｌａｎｇｕａｇｅ）と呼ばれるＷＷＷの情報を発信するために考案された記述言語であり、タグ（ｔａｇ）と呼ばれる記号で特定の文字を挟むことにより、ブラウザ上で自由なレイアウト表示を行うことができ、ホットスポット（ホットリンク）から他のファイルにジャンプできるハイパーリンク機能も備えている。
図９はファイルオブジェクトのＨＴＭＬの一例を示す図である。この実施例では、そのタグの内のファイルオブジェクトのタイトルタグである“＜ＴＩＴＬＥ＞”から“＜／ＴＩＴＬＥ＞”に囲まれた語句と、ハイパーリンクを行うタグ“＜ＡＨＥＲＦ＝○×△＞”から“＜／Ａ＞”に囲まれている語句は、全てファイルオブジェクトの特徴であるとする。これらのタグに挟まれた語句をキーワードとして利用する。
【００２４】
近年、デジタル多チャンネル放送の普及によりテレビ放送の番組が増えつつあり、見たい番組を電子番組表であるＥＰＧ（Ｅｌｅｃｔｒｏｎｉｃ  Ｐｒｏｇｒａｍ  Ｇｕｉｄｅ）などによりキーワード検索あるいはジャンル検索できる技術が普及している。
ＥＰＧデータは、テレビチューナー装置の文字データ放送受信機能を使って受信可能であり、また、インターネット経由でも収集できるので、本実施の形態ではこれを利用する。
【００２５】
次に、ステップＳ３では、各放送メディアの電子番組表にアクセスしてこれらを閲覧する。そして現在時刻より過去の番組を対象とせずに、現在時刻より未来である、これから放送されるテレビ番組を対象に検索し、該当するテレビ番組を抽出し、検索リスト４４を作成する（ステップＳ４）。なお、現在時刻はＰＣ２の内蔵するタイマ（不図示）から得られる。
【００２６】
図１０において、４３は表示装置４に表示されたブラウザー画面であり、テレビ放送の電子番組表（ＥＰＧ）の提供サイトにステップＳ５でキーワードを送信して得られた検索リスト４４を表示している。
ＰＣ２は該検索リスト４４中のどの情報（ファイルオブジェクト）をラベルに印刷するかを選択するためのサブウインドウ４５をブラウザー画面４３に重ねて表示する。該サブウインドウ４５には、検索リスト４４中と共通の番組ＩＤが付与されたチェックボックス４６を備えており、操作者はマウスでポイント、クリックしてチェックボックス４６にマークする。
【００２７】
次いで、プリントアイコン４７をクリックすることにより、ＰＣ２よりラベルプリンタ５に印字データが転送され、図１のラベル６が印字される（ステップＳ７）。
【００２８】
一方、図１１ないし図１３は前記図３のフローチャートにおけるステップＳ１で検索条件として情報源の選択欄１９からホームページ（ＨＰ）を選択した場合にステップＳ５で表示される検索結果のブラウザー画面４８を示している。４９はどの情報をラベルに印刷するかを選択するためのサブウインドウであり、ブラウザー画面４８に重ねて表示される。該サブウインドウ４９は、どのホームページへのリンクをラベルに印刷するか選択するためのチェックボックス５０を備えており、操作者はマウスカーソル５１でポイント、クリックして該チェックボックス５０にマークするようになっている。
【００２９】
ここで、サブウインドウ４９のチェックボックス５０にマークする前に、マウスカーソル５１をホームページへのリンクに合わせてクリックし、ＵＲＬ（Ｕｎｉｆｏｒｍ  Ｒｅｓｏｕｒｃｅ  Ｌｏｃａｔｏｒ）情報を基に表示させて内容を確認することができる（図１２）。ホームページの場合、タイトルや簡単な説明だけでは期待外れな場合や、競合企業のものである場合、リンクお断りである場合などがあり得るため、内容を確かめておくのが好ましい。
【００３０】
そして、商品の宣伝になる情報を含んだ好ましいものである場合には、ブラウザー画面４８の戻りボタン５２をクリックし、サブウインドウ４９のチェックボックス５０にマークして（図１３）、プリントアイコン４７をクリックすることで販売促進用ラベル１０が印刷される。
【００３１】
こうして、商品に情報を付加することで販売促進が図られる。特に、ラベルにテレビ番組のような放送メディアによる情報やインターネット上のホームページへのアクセス情報を付与する場合は、商品を購入した客にはラベルを直接読むのに比べて膨大な文章や動画等の情報を視聴する機会が与えられる。
【００３２】
そして、希望すればビデオ録画再生装置やコンピュータで取り扱い可能なファイル形式で入手することもでき、これらは商品購入者の個人的な使用となるため著作権上の問題も生じないという利点がある。
【００３３】
なお、上記実施の形態では、ネットワークとしてインターネットを、ファイルオブジェクトとして電子ファイル化されたテレビ番組表とインターネット上のホームページを例示して説明したが、本発明はこれに限定するものでなく、新聞社や有料データベースサービス、パソコン通信などでもよい。また、商品も例示したような食品に限定することなく、他の商品であってもよい。
【００３４】
図１４は他の実施の形態を示し、上述の第一の実施の形態中、図３のフローチャートのステップＳ６以前を変形したものである。なお、他の構成要素は同様であるので省略する。
【００３５】
本実施形態の特徴は、商品の消費期限日と番組放映予定日を比較して、消費期限日が放映予定日より後であればテレビ番組情報を記録したラベル６を印刷し、消費期限日が放映予定日より先であれば、商品に関連するニュース、新聞記事、ホームページなどに関する情報をラベル１０に印刷するようにしたことである。ここで、テレビ番組情報やホームページ情報を一つのブラウザ画面に同時に表示してこの中から手動で選択できるようにしてもよい。
【００３６】
【発明の効果】
以上詳述したように、本発明によれば、ネットワーク上に存在するファイルオブジェクトに関する情報を検索し、収集した情報を選択して前記ファイルオブジェクトにアクセスするアクセス情報をラベルに印刷するラベル作成システムが提供される。
【００３７】
これにより、ラベルが貼付された商品の購入者には、ラベルを直接読むのに比べ量および質的に優れた情報を視聴する機会が得られ、販売促進に貢献できる上に著作権侵害等の問題も生じないという利点がある。
【図面の簡単な説明】
【図１】ラベル作成システムの構成を示す外観図
【図２】ラベル作成システムの構成を示すブロック図
【図３】ラベル作成システムの動作説明のフローチャート
【図４】メニュー画面（検索条件入力画面）の説明図
【図５】検索対象画面の説明図
【図６】フリーワード検索画面の説明図
【図７】食品選択画面の説明図
【図８】成分選択画面の説明図
【図９】ファイルオブジェクト（ＨＴＭＬファイル）の説明図
【図１０】検索結果のブラウザー画面の説明図
【図１１】検索結果のブラウザー画面の説明図
【図１２】検索結果のブラウザー画面の説明図
【図１３】検索結果のブラウザー画面の説明図
【図１４】図３のフローチャートの変形例
【符号の説明】
キーボード、マウス（検索条件入力手段）…３、インターネット（ネットワーク）…１００、表示装置（表示手段）…４、レベルプリンタ（ラベル印字手段）…５、ラベル作成システム…１
【図１】
2004358749.tif 000003
【図２】
2004358749.tif 000004
【図３】
2004358749.tif 000005
【図４】
2004358749.tif 000006
【図５】
2004358749.tif 000007
【図６】
2004358749.tif 000008
【図７】
2004358749.tif 000009
【図８】
2004358749.tif 000010
【図９】
2004358749.tif 000011
【図１０】
2004358749.tif 000012
【図１１】
2004358749.tif 000013
【図１２】
2004358749.tif 000014
【図１３】
2004358749.tif 000015
【図１４】
2004358749.tif 000016